【事件の表示】
　平成　７年特許願第　１５５０６号「放射線像変換パネル」拒絶査定不服審判事件〔平成　８年　７月２３日出願公開、特開平　８−１９００００〕について、次のとおり審決する。
【結　論】
　本件審判の請求は、成り立たない。
【理　由】
１．手続の経緯 
　本願は、平成７年１月５日の出願であって、平成１５年１１月２７日付けで拒絶査定がなされ、これに対して平成１６年１月８日に審判請求がなされ、その後、当審から平成１７年１１月１１日付けで拒絶理由が通知され、平成１８年１月１６日付けで意見書のみが提出されたものである。
　
２．本願発明
　本願の請求項１に係る発明は、本願の出願時の明細書及び図面の記載からみて、特許請求の範囲の請求項１に記載された以下のとおりのものと認める。（以下、「本願発明」という。）
「輝尽性蛍光体からなる蛍光体層と、その上に設けられた保護膜とを有する放射線像変換パネルにおいて、該保護膜が、プラスチックフィルムと、その上に塗布形成されたフッ素系樹脂を含む樹脂組成物層とからなることを特徴とする放射線像変換パネル。」
　
３．引用刊行物に記載された発明
　本願出願前に頒布され、当審での拒絶の理由に引用された特開平３−２４６４９８号公報（以下「引用刊行物１」という。）には、「放射線像変換パネル」の発明に関して、以下の事項が記載されている。
＜記載事項１＞
「【請求項１】支持体と、この支持体上に設けられた輝尽性蛍光体を分散状態で含有支持する結合剤からなる蛍光体層とから実質的に構成されている放射線像変換パネルにおいて、該パネルの蛍光体層側表面に摩擦係数が０．６以下の摩擦低減層が設けられていることを特徴とする放射線像変換パネル。」
＜記載事項２＞
「【００３３】なお、蛍光体層は、・・・を接合してもよい。通常の放射線像変換パネルにおいては、支持体に接する側とは反対側の蛍光体層の表面に、蛍光体層を物理的および化学的に保護するための透明な保護膜が設けられている。このような透明保護膜は、本発明の放射線像変換パネルについても設置することが好ましい。」
＜記載事項３＞
「【００３４】透明保護膜は、たとえば酢酸セルロース、ニトロセルロースなどのセルロース誘導体；あるいはポリメチルメタクリレート、ポリビニルブチラール、ポリビニルホルマール、ポリカーボネート、ポリ酢酸ビニル、塩化ビニル・酢酸ビニルコポリマーなどの合成高分子物質のような透明な高分子物質を適当な溶媒に溶解して調製した溶液を蛍光体層の表面に塗布する方法により形成することができる。あるいは、ポリエチレンテレフタレート、ポリエチレン、ポリ塩化ビニリデン、ポリアミドなどから別に形成した透明な薄膜を蛍光体層の表面に適当な接着剤を用いて接着するなどの方法によっても形成することができる。上記のうちで特に好ましい保護膜材料はポリエチレンテレフタレートである。このようにして形成する透明保護膜の膜厚は、約３ないし２０μｍとするのが望ましい。」
＜記載事項４＞
「【００３５】次に、支持体とこの上に設けられた蛍光体層（あるいはさらに保護膜）とから実質的に構成されたパネルの蛍光体層（あるいはその保護膜）の上に摩擦低減層を形成する。
【００３６】本発明の特徴的な要件である摩擦低減層の形成は、たとえば、摩擦係数が小さい材料からなるシート、あるいは物理的もしくは化学的方法により表面の摩擦係数を小さくしたシートなどを適当な接着剤を用いて、上記パネルの蛍光体層（あるいはその保護膜）の上に接着することにより行なわれる。摩擦係数の小さい材料の代表的な例としてはテフロンフィルムを挙げることができる。
【００３７】ただし、本発明において摩擦低減層として用いられる材料は上記の材料に限定されるものではなく、表面の摩擦係数が小さく、かつ接着などにより上記パネル上に設けることのできるものであればいかなるものであってもよい。
【００３８】また摩擦低減層は、支持体および蛍光体層とからなる上記パネルの蛍光体層（あるいはその保護膜）の表面に潤滑剤を塗布することにより形成されてもよい。本発明において使用することのできる潤滑剤は、たとえば公知の各種の潤滑剤から選ぶことができるが、そのような潤滑剤の例としてはシリコンオイル、オレイン酸、ミルスチン酸、ステアリン酸などの高級脂肪酸、高級脂肪酸のエステル、高級脂肪酸の塩、およびフッ素系界面活性剤などを挙げることができる。」　
＜記載事項５＞
「【００６８】
【発明の効果】本発明は、放射線像変換パネルの蛍光体層側表面に、摩擦係数が０．６以下の摩擦低減層を設けることにより、それらのパネル表面の防傷性を改良したものである。この改良により、従来、パネルの搬送および積層の際にパネル表面とパネル表面との擦れなどによって、パネル表面に生じやすかった損傷を効果的に防止することができる。特に、パネルが積層される際にパネルの蛍光体層側表面に生じやすかった損傷を効果的に防止することができ、従って本発明の放射線像変換パネルを用いた場合には、摩擦低減層が付設されていないパネルを用いた場合に比較して特に画像が向上した画像を得ることができる。」
　
　したがって、上記記載事項１〜５に基づけば、引用刊行物１には
「支持体と、この支持体上に設けられた輝尽性蛍光体を分散状態で含有支持する結合剤からなる蛍光体層と、蛍光体層の表面に形成されたポリエチレンテレフタレートの薄膜の保護膜とから構成された放射線像変換パネルにおいて、上記保護膜の上に接着されたテフロンフィルムの摩擦低減層が設けられていることを特徴とする放射線像変換パネル。」の発明（以下「引用発明」という。）が記載されている。
　
　また同じく、本願出願前に頒布され、当審での拒絶の理由に引用された特開平４−３１０９００号公報（以下「引用刊行物２」という。）には、「放射線像変換パネル」の発明に関して、以下の事項が記載されている。
＜記載事項６＞
「【０００５】輝尽性蛍光体層の表面（支持体に面していない側の表面）には通常、保護膜が設けられていて、蛍光体層を化学的な変質あるいは物理的な衝撃から保護している。保護膜には、セルロース誘導体やポリメチルメタクリレートなどのような透明な有機高分子物質を適当な溶媒に溶解して調製した溶液を蛍光体層の上に塗布することで形成されたもの、あるいはポリエチレンテレフタレートなどの有機高分子フィルムや透明なガラス板などの保護膜形成用シートを別に形成して蛍光体層の表面に適当な接着剤を用いて設けたもの、あるいは無機化合物を蒸着などによって蛍光体層上に成膜したものなどが知られている。」
＜記載事項７＞
「【００３６】本発明の放射線像変換パネルの輝尽性蛍光体層は、輝尽性蛍光体とこれを分散状態で含有支持する結合剤とからなるのものばかりでなく、結合剤を含まないで輝尽性蛍光体の凝集体のみから構成されるもの、あるいは輝尽性蛍光体の凝集体の間隙に高分子物質が含浸されている蛍光体層などでもよい。」
＜記載事項８＞
「【００５０】次に、保護膜形成材料として、フッ素系樹脂：フルオロオレフィン−ビニルエーテル共重合体（旭硝子（株）製ルミフロンＬＦ１００）７０ｇ、架橋剤：イソシアネート（住友バイエルウレタン（株）製デスモジュールＺ４３７０）２５ｇ、ビスフェノールＡ型エポキシ樹脂５ｇ、およびアルコール変性シリコーンオリゴマー（ジメチルポリシロキサン骨格を有し、両末端に水酸基（カルビノール基）を有するもの、信越化学工業（株）製、Ｘ−２２−２８０９）０．５ｇをトルエンーイソプロピルアルコール（１：１）混合溶媒に添加し、塗布液を作った。この塗布液を上記のようにして予め形成しておいた蛍光体層上にドクタープレートを用いて塗布し、次に１２０℃で３０分間熱処理して熱硬化させるとともに乾燥し、厚さ１０μｍの保護膜を設けた。」
　
４．対比
　本願発明と引用発明とを比較すると、
（１）引用発明の「輝尽性蛍光体を分散状態で含有支持する結合剤からなる蛍光体層」と本願発明の「輝尽性蛍光体からなる蛍光体層」とは、輝尽性蛍光体を有する蛍光体層という上位概念で一致する。
（２）引用発明の「ポリエチレンテレフタレートの薄膜」は、本願発明の「プラスチックフィルム」に相当する。
（３）引用発明の「保護膜の上に接着剤を用いて接着された」と本願発明の「その上（プラスチックフィルム上）に塗布形成された」とは、その上（プラスチックフィルム上）に形成されたという上位概念で一致する。
（４）引用発明において、放射線像変換パネルの蛍光体層側表面にテフロンフィルムの摩擦低減層を設けることにより、「従来、パネルの搬送および積層の際にパネル表面とパネル表面との擦れなどによって、パネル表面に生じやすかった損傷を効果的に防止することができる。」（記載事項５）ので、引用発明の「テフロンフィルムの摩擦低減層」は、引用発明の保護膜である「ポリエチレンテレフタレートの薄膜」と同様に、本願発明の「保護膜」の機能を有することは明らかであり、その構成も膜といえる。
　したがって、引用発明における「ポリエチレンテレフタレートの薄膜」とその薄膜の上に設けられる「テフロンフィルムの摩擦低減層」とからなる層は、本願発明の「保護膜」に相当する。
（５）本願発明の「フッ素系樹脂を含む樹脂組成物層」にはフッ素系樹脂のみからなる樹脂組成物層も含まれることは明らかである。ちなみに、本願明細書の段落【００２５】には、フッ素系樹脂を含む樹脂組成物層形成材料として、フッ素系樹脂単独、あるいはフッ素系樹脂と他の膜形成性樹脂、もしくはフッ素系樹脂とポリシロキサン骨格含有オリゴマーもしくはパーフルオロアルキル基含有オリゴマーなどが記載されている。
　また、引用発明の「テフロンフィルム」の「テフロン」は、商品名であり、「ポリテトラフルオロエチレン」と命名されているフッ素系樹脂である（「化学大事典」、第１５０９ページ，第２２４８ページ、株式会社東京化学同人、１９８９年１０月２０日発行）。
　してみると、引用発明の「テフロンフィルムの摩擦低減層」は、本願発明の「フッ素系樹脂を含む樹脂組成物層」に相当する。
　
　したがって、両者は、
「輝尽性蛍光体を有する蛍光体層と、その上に設けられた保護膜とを有する放射線像変換パネルにおいて、該保護膜が、プラスチックフィルムと、その上に形成されたフッ素系樹脂を含む樹脂組成物層とからなることを特徴とする放射線像変換パネル。」の点で一致するが、以下の点で相違する。
[相違点１]
　輝尽性蛍光体を有する蛍光体層が、本願発明は、輝尽性蛍光体からなる蛍光体層であるのに対して、引用発明は、輝尽性蛍光体を分散状態で含有支持する結合剤からなる蛍光体層である点。　
[相違点２]
　プラスチックフィルムの上に、本願発明は、フッ素系樹脂を含む樹脂組成物層を塗布形成するのに対して、引用発明は、フッ素系樹脂を含む樹脂組成物層のフィルムを接着する点。　
　
５．当審の判断
　上記相違点について検討する。
（１）相違点１
　引用刊行物２には、蛍光体層を有する放射線像変換パネルにおいて、輝尽性蛍光体とこれを分散状態で含有支持する結合剤とからなるものばかりでなく、結合剤を含まないで輝尽性蛍光体の凝集体のみから構成されるものでもよいことが記載されているので（記載事項７）、引用発明の輝尽性蛍光体を分散状態で含有支持する結合剤からなる蛍光体層に代えて本願発明の輝尽性蛍光体からなる蛍光体層を用いることは引用刊行物１及び引用刊行物２に記載された発明に基づいて当業者が容易に想到し得たことである。
（２）相違点２
　引用刊行物２には、放射線像変換パネルの保護膜の形成手段として、有機高分子物質を塗布又は有機高分子フィルムを接着することが記載されているので（記載事項６）、放射線像変換パネルの保護膜である、引用発明のフッ素系樹脂を含む樹脂組成物層を形成する場合、引用発明のように該樹脂組成物層のフィルムを接着することに代えて、本願発明のようにフッ素系樹脂を含む樹脂組成物層を塗布することは、引用刊行物１及び引用刊行物２に記載された発明に基づいて当業者が容易に想到し得たことである。
　
　そして、本願発明の効果は、引用刊行物１及び引用刊行物２の記載から当業者が予測し得る範囲内のものである。
　
　よって、本願発明は、引用刊行物１及び引用刊行物２に記載された発明に基づいて当業者が容易に発明することができたものである。　　
　
６．むすび
　以上のとおり、本願発明は、引用刊行物１及び引用刊行物２に記載された発明に基づいて当業者が容易に発明することができたものであるから、特許法第２９条第２項により特許を受けることができない。
　
　よって、結論のとおり審決する。